(57)【特許請求の範囲】
【請求項１】
入力装置から入力された制御データに基づいて、多数の電動ブラインドの動作を自動制御する電動ブラインドの制御装置において、
前記入力装置は、
前記制御データを入力するための入力画面を表示する表示装置と、
前記制御データの入力操作を行う操作部と、
前記各電動ブラインドのブラインド開度及びスラット角度に基づく該電動ブラインドのイメージ画像を前記表示装置に一覧表示するとともに、前記操作部による前記制御データの変更に対応して、前記イメージ画像の表示を変化させる制御部とを備え、
前記制御部は、建造物の多数の窓に設置された多数の電動ブラインドのブラインド開度及びスラット角度を前記イメージ画像で表示する建造物外観図を前記表示装置に表示可能とし、前記イメージ画像のいずれかを前記操作部で選択することにより、当該イメージ画像に対応する電動ブラインドの制御データを入力可能とする入力画面を表示可能とし、前記入力画面として、ブラインド開度を表示するブラインド開度イメージと、スラット角度を表示するスラット角度イメージとを前記表示装置に表示し、スラット角度を制御する前記制御データの変更に基づいて、前記ブラインド開度イメージ及びスラット角度イメージを連動して変化させ、
前記操作部をマウスで構成し、前記制御部は、前記マウスによるブラインド開度イメージ若しくはスラット角度イメージの操作により、ブラインド開度若しくはスラット角度を制御するための制御データを入力可能としたことを特徴とする電動ブラインドの制御装置。
【請求項２】
入力装置から入力された制御データに基づいて、多数の電動ブラインドの動作を自動制御する電動ブラインドの制御装置において、
前記入力装置は、
前記制御データを入力するための入力画面を表示する表示装置と、
前記制御データの入力操作を行う操作部と、
前記各電動ブラインドのブラインド開度及びスラット角度に基づく該電動ブラインドのイメージ画像を前記表示装置に一覧表示するとともに、前記操作部による前記制御データの変更に対応して、前記イメージ画像の表示を変化させる制御部とを備え、
前記制御部は、建造物の各フロアに設置された多数の電動ブラインドのブラインド開度及びスラット角度を前記イメージ画像で表示するフロア平面図を前記表示装置に表示可能とし、前記イメージ画像のいずれかを前記操作部で選択することにより、当該イメージ画像に対応する電動ブラインドの制御データを入力可能とする入力画面を表示可能とし、前記入力画面として、ブラインド開度を表示するブラインド開度イメージと、スラット角度を表示するスラット角度イメージとを前記表示装置に表示し、スラット角度を制御する前記制御データの変更に基づいて、前記ブラインド開度イメージ及びスラット角度イメージを連動して変化させ、
前記操作部をマウスで構成し、前記制御部は、前記マウスによるブラインド開度イメージ若しくはスラット角度イメージの操作により、ブラインド開度若しくはスラット角度を制御するための制御データを入力可能としたことを特徴とする電動ブラインドの制御装置。
【請求項３】
前記制御部は、前記イメージ画像の色彩により、対応する電動ブラインドのブラインド開度及びスラット角度を表示可能としたことを特徴とする請求項１又は２に記載の電動ブラインドの制御装置。
【請求項４】
前記制御部は、スラット角度を制御するための制御データの変更に対応して、前記スラット角度イメージ内に表示されるスラットの角度を変更するとともに、前記スラット角度イメージ内及びブラインド開度イメージ内に表示されるスラットの色彩を変更することを特徴とする請求項１乃至３のいずれかに記載の電動ブラインドの制御装置。
【請求項５】
前記制御部は、前記イメージ画像内のスラットの色彩を、前記制御データによりスラット角度が水平方向に近い所定の範囲内の角度に設定された場合と、スラットの凸面が室内側に回動される角度に設定された場合と、スラットの凹面が室内側に回動される角度に設定された場合との３段階に変化させることを特徴とする請求項３又は４に記載の電動ブラインドの制御装置。
【請求項６】
前記制御部は、前記ブラインド開度イメージで表示されたブラインド開度を制御データとして数値で表示するブラインド開度表示欄と、前記スラット角度イメージで表示されたスラット角度を制御データとして数値で表示するスラット角度表示欄とを、該ブラインド開度イメージ及びスラット角度イメージとともに前記表示装置に表示し、前記操作部で前記ブラインド開度表示欄及びスラット角度表示欄の数値を変更可能とし、前記ブラインド開度イメージ及びスラット角度イメージと、前記ブラインド開度表示欄及びスラット角度表示欄の数値とは、制御データの変更動作に基づいて互いに連動して変化するようにしたことを特徴とする請求項１乃至５のいずれかに記載の電動ブラインドの制御装置。
【請求項７】
電動ブラインドのブラインド開度及びスラット角度を示すイメージ画像を表示装置に表示し、前記イメージ画像を操作してブラインド開度及びスラット角度の制御データを入力することを特徴とする電動ブラインドの制御データ入力方法。
【請求項８】
建造物に設置された多数の電動ブラインドのブラインド開度及びスラット角度を示すイメージ画像を表示装置に表示し、前記イメージ画像のいずれかを選択することにより、当該イメージ画像に対応する電動ブラインドの制御データを入力可能とする入力画面を前記表示装置に表示し、前記入力画面に画像表示されたブラインド開度イメージ及びスラット角度イメージを操作して、ブラインド開度及びスラット角度の制御データを入力することを特徴とする電動ブラインドの制御データ入力方法。
【発明の詳細な説明】
【０００１】
【発明の属する技術分野】
この発明は、入力装置から入力された制御データに基づいて、電動ブラインドのスラット昇降動作及びスラット角度調節動作を自動制御する電動ブラインドの制御装置に関するものである。
【０００２】
【従来の技術】
近年、ビルの各フロアに設置された多数の電動ブラインドの動作を、メインコントローラの入力装置から入力された制御データ、あるいはメインコントローラにあらかじめ設定されたプログラムに基づいて自動制御する電動ブラインドの制御装置が実用化されている。
【０００３】
このような電動ブラインドの制御装置のメインコントローラは、パソコン等で構成され、各ブラインドのスラット角度及びブラインド開度（ブラインド高さ）等の制御データを、あらかじめ格納されている制御データ入力用プログラムに基づいて入力可能となっている。
【０００４】
その入力操作の概要を説明すると、メインコントローラの表示装置に表示されたメニュー画面に基づいて、まず制御対象とするブラインドの動作単位、すなわちあらかじめ設定されたエリア単位、ゾーン単位、グループ単位であるか、あるいは特定の一台毎のブラインド単位であるかを設定する。
【０００５】
そして、次の入力画面において、制御対象とするエリア、ゾーン、グループあるいは特定の一台のブラインドを選択し、次いでスラット角度及びブラインド開度等を設定した後、制御動作を開始すると、設定された動作単位毎のブラインドが入力された制御データに基づいて一括して制御される。
【０００６】
【発明が解決しようとする課題】
ところが、上記のようなメインコントローラでは、動作単位を各ブラインド一台毎に設定する場合、表示装置の入力画面には各ブラインドの番号が一覧表示され、その番号の中から制御対象とするブラインドを選択する必要があった。
【０００７】
従って、制御対象とするブラインドを選択する場合には、当該ブラインドの番号をあらかじめ確認した後に、その番号を入力画面上の一覧表示の中から選択する必要があるため、その作業が煩雑であった。
【０００８】
また、エリア、ゾーンあるいはグループとして設定された複数のブラインドを一括制御する場合には、複数のブラインドでエリア、ゾーンあるいはグループを編成する必要がある。
【０００９】
そして、エリア、ゾーンあるいはグループを編成する場合には、各ブラインドの番号をそれぞれ入力する作業が必要であった。
従って、選択したブラインドが所望のエリア、ゾーンあるいはグループに該当する位置に配設されているか否かを調べながら入力する必要があるため、その編成作業が煩雑であった。
【００１０】
また、エリア、ゾーンあるいはグループ単位でブラインドを操作する場合には、エリア、ゾーンあるいはグループに付された名称、記号等を入力して、所望のエリア、ゾーンあるいはグループを特定する必要があるが、当該名称のエリア、ゾーンあるいはグループがいずれの位置に配設されているものかを認識している必要があり、認識が不正確な場合には、異なる位置に配設されたブラインドを一括制御してしまう。従って、誤操作が生じ易いという問題点がある。
【００１１】
また、ブラインド開度及びスラット角度を制御データとして入力する入力画面では、その制御データを数値でデジタル的に入力する構成であるため、入力した制御データに基づいて実際のブラインドがどの程度昇降され、あるいは角度調節されるかを直感的に認識することは困難である。
【００１２】
従って、制御データに基づいて制御された各ブラインドのブラインド開度及びスラット角度と、操作者がイメージしたブラインド開度及びスラット角度との間にずれが生じ易く、その場合には制御データの入力作業を再度行う必要があるという問題点がある。
【００１３】
この発明の目的は、制御データの入力作業を容易に、かつ確実に行い得る電動ブラインドの制御装置及び電動ブラインドの制御データ入力方法を提供することにある。
【００１４】
【課題を解決するための手段】
請求項１では、入力装置から入力された制御データに基づいて、多数の電動ブラインドの動作を自動制御する電動ブラインドの制御装置において、前記入力装置は、前記制御データを入力するための入力画面を表示する表示装置と、前記制御データの入力操作を行う操作部と、前記各電動ブラインドのブラインド開度及びスラット角度に基づく該電動ブラインドのイメージ画像を前記表示装置に一覧表示するとともに、前記操作部による前記制御データの変更に対応して、前記イメージ画像の表示を変化させる制御部とを備え、前記制御部は、建造物の多数の窓に設置された多数の電動ブラインドのブラインド開度及びスラット角度を前記イメージ画像で表示する建造物外観図を前記表示装置に表示可能とし、前記イメージ画像のいずれかを前記操作部で選択することにより、当該イメージ画像に対応する電動ブラインドの制御データを入力可能とする入力画面を表示可能とし、前記入力画面として、ブラインド開度を表示するブラインド開度イメージと、スラット角度を表示するスラット角度イメージとを前記表示装置に表示し、スラット角度を制御する前記制御データの変更に基づいて、前記ブラインド開度イメージ及びスラット角度イメージを連動して変化させ、前記操作部をマウスで構成し、前記制御部は、前記マウスによるブラインド開度イメージ若しくはスラット角度イメージの操作により、ブラインド開度若しくはスラット角度を制御するための制御データを入力可能とした。
【００１５】
請求項２では、入力装置から入力された制御データに基づいて、多数の電動ブラインドの動作を自動制御する電動ブラインドの制御装置において、前記入力装置は、前記制御データを入力するための入力画面を表示する表示装置と、前記制御データの入力操作を行う操作部と、前記各電動ブラインドのブラインド開度及びスラット角度に基づく該電動ブラインドのイメージ画像を前記表示装置に一覧表示するとともに、前記操作部による前記制御データの変更に対応して、前記イメージ画像の表示を変化させる制御部とを備え、前記制御部は、建造物の各フロアに設置された多数の電動ブラインドのブラインド開度及びスラット角度を前記イメージ画像で表示するフロア平面図を前記表示装置に表示可能とし、前記イメージ画像のいずれかを前記操作部で選択することにより、当該イメージ画像に対応する電動ブラインドの制御データを入力可能とする入力画面を表示可能とし、前記入力画面として、ブラインド開度を表示するブラインド開度イメージと、スラット角度を表示するスラット角度イメージとを前記表示装置に表示し、スラット角度を制御する前記制御データの変更に基づいて、前記ブラインド開度イメージ及びスラット角度イメージを連動して変化させ、前記操作部をマウスで構成し、前記制御部は、前記マウスによるブラインド開度イメージ若しくはスラット角度イメージの操作により、ブラインド開度若しくはスラット角度を制御するための制御データを入力可能とした。
【００１７】
請求項３では、前記制御部は、前記イメージ画像の色彩により、対応する電動ブラインドのブラインド開度及びスラット角度を表示可能とした。
請求項５では、前記制御部は、前記イメージ画像のいずれかを前記操作部で選択することにより、当該イメージ画像に対応する電動ブラインドの制御データを入力可能とする入力画面を表示可能とした。
【００１９】
請求項４では、前記制御部は、スラット角度を制御するための制御データの変更に対応して、前記スラット角度イメージ内に表示されるスラットの角度を変更するとともに、前記スラット角度イメージ内及びブラインド開度イメージ内に表示されるスラットの色彩を変更する。
【００２０】
請求項５では、前記制御部は、前記イメージ画像内のスラットの色彩を、前記制御データによりスラット角度が水平方向に近い所定の範囲内の角度に設定された場合と、スラットの凸面が室内側に回動される角度に設定された場合と、スラットの凹面が室内側に回動される角度に設定された場合との３段階に変化させる。
【００２１】
請求項６では、前記制御部は、前記ブラインド開度イメージで表示されたブラインド開度を制御データとして数値で表示するブラインド開度表示欄と、前記スラット角度イメージで表示されたスラット角度を制御データとして数値で表示するスラット角度表示欄とを、該ブラインド開度イメージ及びスラット角度イメージとともに前記表示装置に表示し、前記操作部で前記ブラインド開度表示欄及びスラット角度表示欄の数値を変更可能とし、前記ブラインド開度イメージ及びスラット角度イメージと、前記ブラインド開度表示欄及びスラット角度表示欄の数値とは、制御データの変更動作に基づいて互いに連動して変化するようにした。
【００２２】
請求項７では、電動ブラインドのブラインド開度及びスラット角度を示すイメージ画像を表示装置に表示し、前記イメージ画像を操作してブラインド開度及びスラット角度の制御データを入力する。
【００２３】
請求項８では、建造物に設置された多数の電動ブラインドのブラインド開度及びスラット角度を示すイメージ画像を表示装置に表示し、前記イメージ画像のいずれかを選択することにより、当該イメージ画像に対応する電動ブラインドの制御データを入力可能とする入力画面を前記表示装置に表示し、前記入力画面に画像表示されたブラインド開度イメージ及びスラット角度イメージを操作して、ブラインド開度及びスラット角度の制御データを入力する。
【００２９】
【発明の実施の形態】
（第一の実施の形態）
以下、この発明を具体化した第一の実施の形態を図面に従って説明する。図１に示すように、パソコンで構成されるメインコントローラ１には、信号線２を介して複数のフロアコントローラ３が接続され、各フロアコントローラ３には信号線２を介して多数のブラインドコントローラ４が接続される。
【００３０】
そして、前記メインコントローラ１はその入力装置から入力された制御データ、あるいはメインコントローラ１にあらかじめ設定されたプログラムに基づいて、フロアコントローラ３を介して各ブラインドコントローラ４を制御する。
【００３１】
前記ブラインドコントローラ４は、各電動ブラインドのヘッドボックスに内蔵され、当該ブラインドのスラットの昇降動作及び角度調節動作を制御する。従って、各電動ブラインドのスラットの昇降動作及び角度調節動作は、メインコントローラ１に入力された制御データ、あるいはメインコントローラ１にあらかじめ設定されたプログラムに基づいて制御される。
【００３２】
前記各ブラインドコントローラ４には、各電動ブラインドの近傍に設けられた手元スイッチ５がそれぞれ接続される。そして、手元スイッチ５の操作に基づいて、各電動ブラインドのブラインドコントローラ４を介してスラットの昇降動作及び角度調節動作を制御可能となっている。
【００３３】
前記メインコントローラ１の電気的構成を図２に示す。制御部６に接続されるプログラムメモリ７には、前記各電動ブラインドを自動制御するためのプログラム及び制御データを入力するための入力プログラムがあらかじめ格納され、制御部６はそのプログラムに基づいて動作する。
【００３４】
前記制御部６に接続されたマウス８及びキーボード９は、制御データの入力操作及びその他の入力操作時に使用される。また、制御部６に接続された作業用メモリ１０は、制御部６の動作に基づいて生成されたデータ、信号線２を介してメインコントローラ１に入力されたデータ等を一時的に格納する場合に使用される。
【００３５】
前記制御部６に接続された入出力インターフェース１１は、前記信号線２に接続され、制御部６から出力される制御データあるいはその他の信号を信号線２を介して前記フロアコントローラ３に出力するとともに、前記各ブラインドコントローラ４から出力される信号を受信して、制御部６に入力する。
【００３６】
前記制御部６に接続された表示装置１２は、ＣＲＴあるいは液晶表示装置で構成され、前記各プログラムに基づいて動作する制御部６により、各種入力画面あるいは設定画面等が表示される。
【００３７】
図３は、制御データの入力操作を開始する場合に、前記表示装置１２に表示されるメニュー画面１３を示す。前記メニュー画面１３内において、第一の枠１４ａ〜第四の枠１４ｄが表示され、各枠１４ａ〜１４ｂのいずれかをマウス８で選択してクリックすることにより、表示装置１２にはそれぞれ次の設定画面が表示される。
【００３８】
前記第一の枠１４ａには「ビル外観図」と表示され、その枠１４ａをマウス８で選択してクリックすると、表示装置１２には図４に示すビル外観図１５が表示される。このビル外観図１５には、ビルの外壁面の多数の窓にそれぞれ設置される電動ブラインドのシンボル１６が表示される。
【００３９】
前記メニュー画面１３の第二の枠１４ｂには「フロア平面図」と表示され、その枠１４ｂをマウス８で選択してクリックすると、表示装置１２には当該ビル内のいずれかのフロアを選択するための選択画面が表示され、その選択画面でいずれかのフロアを選択すると、表示装置１２には図５に示すフロア平面図１７が表示される。このフロア平面図１７には、当該フロアの多数の窓にそれぞれ設置される電動ブラインドのシンボル１６が表示される。
【００４０】
前記各シンボル１６は、当該シンボル１６に対応するブラインドのスラット角度、ブラインド開度等の状態の概略を色彩の変化によって表示するものであり、その詳細を図６に従って説明する。
【００４１】
四角形状のシンボル１６の外周部には、外枠部１８が形成され、当該シンボル１６に対応するブラインドが正常に動作している場合には、その外枠部１８には緑色が表示される。
【００４２】
前記外枠部１８の内側は仕切り線１９で上下方向に分割され、その仕切り線１９の上部にブラインド状態表示部２０が表示され、仕切り線１９の下部にブラインド開口部２１が表示される。
【００４３】
前記仕切り線１９は、スラットの昇降に応じて上下動する。従って、スラットを引上げるにつれて仕切り線１９が上昇して、ブラインド状態表示部２０の面積が縮小されるとともに、ブラインド開口部２１の面積が拡大される。また、スラットを下降させるにつれて仕切り線１９が下降して、ブラインド状態表示部２０の面積が拡大されるとともに、ブラインド開口部２１の面積が縮小される。
【００４４】
前記ブラインド状態表示部２０の色彩は、スラットの角度に基づいて３段階に切り換えられる。すなわち、水平方向に回動されたスラットの角度を０度とし、凸面が室内側に回動されたスラットの角度を−の角度とし、凹面が室内側に回動されたスラットの角度を＋の角度としたとき、スラットが−１０度〜＋１０度の範囲では、ブラインド状態表示部２０にはうすい黄色が表示される。
【００４５】
また、スラットが−９０度〜−１１度の範囲では、ブラインド状態表示部２０には濃い黄色が表示される。
また、スラットが＋１１度〜＋９０度の範囲では、ブラインド状態表示部２０にはうすい灰色が表示される。
【００４６】
このようにして、スラットの凸面が室内側に回動されると、室内に外光が侵入しやすいので、ブラインド状態表示部２０は黄色系に設定され、スラットの凹面が室内側に回動されると、室内に外光が侵入し難いので、ブラインド状態表示部２０はうすい灰色に設定される。
【００４７】
前記ブラインド開口部２１は、濃い灰色が表示される。従って、スラットが上限まで引上げられて全開状態となると、外枠部１８の内側は全面がブラインド開口部２１となって濃い灰色が表示される。
【００４８】
一方、各シンボル１６に対応するブラインドが何らかの異常が発生している場合には、当該シンボル１６の全面が赤色に表示される。すなわち、メインコントローラ１とブラインドコントローラ４との通信が不能となった時、あるいはスラットの昇降動作若しくは角度調節動作に異常が発生して、ブラインドコントローラ４からメインコントローラ１に異常検知信号が出力された時、異常が発生したブラインドに対応するシンボル１６の全面に赤色が表示される。
【００４９】
前記ビル外観図１５あるいはフロア平面図１７において、所望のシンボル１６をマウス８で選択してクリックすると、表示装置１２には図７に示す入力画面２２が表示される。
【００５０】
この入力画面２２は、選択されたシンボルに対応する１台の電動ブラインドのブラインド開度及びスラット角度の現状を表示するとともに、新たな制御データを入力するための画面である。その入力画面２２の上部には、制御対象となるブラインドの番号及び設置場所が表示され、その下方にブラインド開度表示欄２３と、スラット角度表示欄２４とが表示される。
【００５１】
前記ブラインド開度表示欄２３には、ブラインド開度が０〜１００％の範囲で表示され、スラット角度表示欄２４には、スラット角度が−９０度〜＋９０度の範囲で表示される。
【００５２】
前記ブラインド開度表示欄２３の側方には、上昇ボタン２５ａ及び下降ボタン２５ｂが表示され、上昇ボタン２５ａをマウス８でクリックし続けると、ブラインド開度表示欄２３に表示されたブラインド開度が増大し、下降ボタン２５ｂをマウス８でクリックし続けると、表示欄２３に表示されたブラインド開度が減少する。
【００５３】
また、ブラインド開度表示欄２３にはキーボード９の操作によりブラインド開度を入力可能である。
前記スラット角度表示欄２４の側方には、上昇ボタン２５ｃ及び下降ボタン２５ｄが表示され、上昇ボタン２５ｃをマウス８でクリックし続けると、スラット角度表示欄２４に表示されたスラット角度が増大し、下降ボタン２５ｄをマウス８でクリックし続けると、スラット角度表示欄２４に表示されたスラット角度が減少する。
【００５４】
また、スラット角度表示欄２４にはキーボード９の操作によりスラット角度を入力可能である。
前記スラット角度表示欄２４の下方には、動作が正常か異常かを示すアラーム表示が表示され、その下方には個別のブラインドの動作を制御する状態であることを示す個別制御表示が表示される。さらにその下方には、自動運転を許可するか否かを選択する選択欄２６が表示される。
【００５５】
前記ブラインド開度表示欄２３及びスラット角度表示欄２４の側方には、ブラインド開度イメージ２７及びスラット角度イメージ２８が表示される。
前記ブラインド開度イメージ２７は、スラットの昇降状態を画像表示するものであり、ブラインド開度表示欄２３で入力されたブラインド開度に応じて、スラットの表示範囲が変化する。
【００５６】
また、ブラインド開度イメージ２７内の最下段のスラット２７ａをマウス８で上方あるいは下方へドラッグし、かつドロップすることにより、ブラインド開度の設定を変更することができる。このとき、マウス８による操作に対応して、ブラインド開度表示欄２３内に表示される数値が自動的に変化する。
【００５７】
前記スラット角度イメージ２８は、スラットの回動状態を画像表示するものであり、スラット角度表示欄２４で設定されたスラット角度に応じて、表示される３枚のスラットの角度が同位相で変化する。
【００５８】
また、スラット角度イメージ２８内の中段のスラットの両側部２８ａのいずれかをマウス８で上方あるいは下方へドラッグかつドロップすることにより、スラット角度の設定を変更することができる。このとき、マウス８による操作に対応して、スラット角度表示欄２４内に表示されるスラット角度が自動的に変化する。
【００５９】
前記ブラインド開度イメージ２７及びスラット角度イメージ２８内のスラットの色彩は、設定されたスラット角度に基づいて、前記シンボル１６内のブラインド状態表示部２０の色彩と同様に変化する。また、ブラインド開度イメージ２７に表示されるスラットの幅は、設定されたスラット角度に対応して変化する。
【００６０】
前記ブラインド開度イメージ２７の下方に表示された詳細ボタン２９は、当該ブラインドに異常が発生している場合に、その異常の詳細を表示する場合に使用され、マウス８でクリックすると、その詳細表示画面が表示装置１２に表示される。
【００６１】
前記ブラインド開度イメージ２７の下方に表示された設定ボタン３０は、この入力画面２２で設定された制御データを最終的に確定する場合に使用される。
また、スラット角度イメージ２８の下方に表示された閉じるボタン３１は、この入力画面２２を閉じる場合に使用される。
【００６２】
前記メニュー画面１３の第三の枠１４ｃには「ブラインド一覧表示」と表示され、その枠１４ｃをマウス８で選択してクリックすると、表示装置１２には当該ビル内の全ブラインドの番号が一覧表示され、その中から所望の番号を制御対象として選択すると、前記入力画面２２が表示される。
【００６３】
そして、入力画面２２において上記と同様な操作により、当該ブラインドの制御データの設定が可能である。
前記メニュー画面１３の第四の枠１４ｄには「エリア一括操作」と表示され、その枠１４ｄをマウス８でクリックすると、表示装置１２には当該ビル内の全エリアが一覧表示され、その中から所望のエリアを制御対象として選択すると、図８に示す入力画面３２が表示される。
【００６４】
この入力画面３２は、選択されたエリア内の複数の電動ブラインドのブラインド開度及びスラット角度の現状を表示するとともに、新たな制御データを一括して入力するための画面であり、前記入力画面２２のアラーム表示、個別制御表示及び自動運転選択欄２６に代えて、強制自動運転許可指定欄３３が表示されている。
【００６５】
この強制自動運転許可指定欄３３は、その欄への設定動作により、当該エリア内のブラインドで自動運転の禁止が設定されているものに対しても、自動運転を強制的に行うことを可能とするものである。
【００６６】
前記入力画面３２において、強制運転許可指定欄３３以外の表示は前記入力画面２２と同様であり、同様に操作可能である。従って、入力画面３２により選択されたエリア内のブラインドの制御データを一括して入力することができる。
【００６７】
また、前記メニュー画面１３の「エリア一括操作」から、図９に示すように、あらかじめ設定されたエリアとは異なるグループ内のブラインドのブラインド開度及びスラット角度の現状を表示するとともに、新たな制御データを一括して入力する入力画面３４を選択することもできる。
【００６８】
前記グループは、例えば異なるフロアにまたがるエリアや個別のブラインドを１グループとするものであり、その入力画面３４は前記入力画面３２と同様であり、同様な操作により制御データの一括入力が可能である。
【００６９】
上記のように構成された電動ブラインドの制御データ入力装置では、次に示す作用効果を得ることができる。
（１）表示装置１２に表示されたメニュー画面１３から、ビル外観図１５を選択して表示装置１２に表示することができる。そして、ビル外観図１５に表示されたシンボル１６の色彩で、当該シンボル１６に対応するビル全面のブラインドのブラインド開度及びスラット角度の概要と、異常の有無を、外観配置上で容易に把握することができる。
【００７０】
（２）表示装置１２に表示されたメニュー画面１３から、フロア平面図１７を選択して表示装置１２に表示することができる。そして、フロア平面図１７に表示されたシンボル１６の色彩で、当該シンボル１６に対応するフロア全面のブラインドのブラインド開度及びスラット角度の概要と、異常の有無を、フロア配置上で容易に把握することができる。
【００７１】
（３）ビル外観図１５及びフロア平面図１７に表示されるシンボル１６では、対応するブラインドのスラットの凸面が室内側に向いているか、室外側に向いているか、あるいは水平方向に近い角度かを判別することができるので、スラット角度の概要を細かく把握することができる。
【００７２】
（４）ビル外観図１５あるいはフロア平面図１７の各シンボル１６をクリックすることにより、当該シンボルに対応する個別のブラインドの制御データ入力画面２２を表示装置１２に容易に表示させることができる。従って、個別のブラインドの制御データ入力作業を容易に行うことができる。
【００７３】
（５）個別のブラインドの制御データ入力画面２２でのブラインド開度の設定は、ブラインド開度表示欄２３へのキーボード９の操作による入力、マウス８による上昇ボタン２５ａあるいは下降ボタン２５ｂの操作による入力で可能であるとともに、ブラインド開度イメージ２７の最下段のスラット２７ａをマウス８で操作することによっても可能である。従って、ブラインド開度の設定を容易に行うことができる。
【００７４】
（６）個別のブラインドの制御データ入力画面２２でのスラット角度の設定は、スラット角度表示欄２４へのキーボード９の操作による入力、マウス８による上昇ボタン２５ｃあるいは下降ボタン２５ｄの操作による入力で可能であるとともに、スラット角度イメージ２８の中間段のスラットの両側部２８ａのいずれかをマウス８で操作することにより可能である。従って、スラット角度の設定を容易に行うことができる。
【００７５】
（７）ブラインド開度表示欄２３でのブラインド開度の入力値に対応して、ブラインド開度イメージ２７の表示が自動的に変化するため、入力値によるブラインド開度をイメージにより容易に把握することができる。
【００７６】
（８）ブラインド開度イメージ２７へのマウス８によるによるブラインド開度の入力操作時には、入力されたブラインド開度に対応して、ブラインド開度表示欄２３の表示が変化するので、イメージにより入力したブラインド開度の数値を容易に把握することができる。
【００７７】
（９）スラット角度表示欄２４でのスラット角度の入力値に対応して、スラット角度イメージ２８の表示が自動的に変化するため、入力値によるスラット角度をイメージにより容易に把握することができる。
【００７８】
（１０）スラット角度イメージ２８へのマウス８によるスラット角度の入力操作時には、入力されたスラット角度に対応して、スラット角度表示欄２４の表示が自動的に変化するので、イメージにより入力したスラット角度の数値を容易に把握することができる。
【００７９】
（１１）入力したスラット角度に対応して、ブラインド開度イメージ２７及びスラット角度イメージ２８のスラットの色彩が、シンボル１６の色彩と同様に変化するので、入力したスラット角度を色彩により容易に把握することができる。（第二の実施の形態）
図１０〜図２９は第二の実施の形態を示す。この実施の形態は、図１及び図２に示す制御装置において、多数の電動ブラインドをゾーン毎に一括制御するためのプログラム及びゾーン毎に一括制御するための制御データを入力するための入力プログラムをプログラムメモリ７に備えたものである。
【００８０】
図１０〜図１２は、入力プログラムに基づいて表示装置１２に表示される制御データの入力画面を示す。図１０はブラインド配置モード時に表示されるブラインド配置画面４１を示す。この画面４１では、フロア平面図を示し、当該フロアの多数の窓にそれぞれ設置される電動ブラインドのシンボル４２が表示される。
【００８１】
ブラインド配置画面４１の右側には、ブラインド追加ボタン４３が表示される。このブラインド追加ボタン４３は、当該フロアに電動ブラインドが新たに設定されたとき、あるいは電動ブラインドが追加して設置されたとき、ブラインド配置画面４１に表示されているシンボル４２を追加する場合に使用され、マウスによるクリック操作に基づいて選択可能である。
【００８２】
そして、ブラインド追加ボタン４３の選択により、ブラインド配置画面４１上には追加された電動ブラインドに設定されたブラインド番号及び機種等の属性を入力する画面が表示され、入力されたブラインド番号及び属性が前記作業用メモリ１０に格納される。
【００８３】
そして、ブラインド番号及び属性の入力後に、ブラインド配置画面４１の任意位置をマウスでクリックすると、その任意位置に当該ブラインド番号の電動ブラインドに対応する新たなシンボル４２が表示される。
【００８４】
前記ブラインド追加ボタン４３の下方には、移動可能ボタン４４が表示される。この移動可能ボタン４４は、ブラインド配置画面４１に表示されているシンボル４２を移動させる場合に使用される。
【００８５】
そして、移動可能ボタン４４をマウスでクリックした後、任意のシンボル４２をマウスでドラッグかつドロップすることにより、当該シンボル４２を任意位置に移動可能である。移動されたシンボル４２の新たな位置座標データは、作業用メモリ１０に格納される。
【００８６】
前記移動可能ボタン４の下方には、確定ボタン４５が表示される。シンボル４２の配置が終了した後に、この確定ボタン４５をマウスでクリックすると、シンボル４２のそれ以上の移動が禁止される。
【００８７】
前記確定ボタン４５の下方には、ブラインド削除ボタン４６が表示される。このブラインド削除ボタン４６は、ブラインド配置画面４１上に表示されたシンボル４２を削除する場合に使用され、所望のシンボル４２をマウスでクリックすると、クリックされたシンボル４２が削除される。
【００８８】
ブラインド配置画面４１の下部には、ブラインド配置ボタン４７、ゾーン編成ボタン４８及びブラインド操作ボタン４９が表示され、各ボタン４７〜４９の選択により、該当する入力モードとなるとともに、該当する画面が表示される。
【００８９】
図１１は、前記ゾーン編成ボタン４８がクリックされて、ゾーン編成モードとなったときに表示されるゾーン編成画面５０を示す。この画面５０は、前記ブラインド配置画面４１と同様にフロア平面図を示し、当該フロアの多数の窓にそれぞれ設置される電動ブラインドのシンボル４２が表示される。
【００９０】
ゾーン編成画面５０の右側には、ゾーン名入力欄５１と、ゾーン設定ボタン５２が表示される。そして、所望のゾーンを設定する場合には、ゾーン編成画面５０に表示されたシンボル４２の中からいずれか二つのシンボル４２をクリックすると、当該シンボル４２のブラインド番号に挟まれたブラインド番号を持つすべてのシンボル４２の色が例えば白色の選択色に変わり、その状態でゾーン名入力欄５１に所望のゾーン名を入力し、次いでゾーン設定ボタン５２をクリックすると、白色に表示されたシンボル４２が一つのゾーンとして編成されて、そのゾーン名及びブラインド番号が作業用メモリ１０に格納される。
【００９１】
なお、二つ目のシンボル４２をクリックした後、ゾーン設定ボタン５２をクリックすることなく、三つ目のシンボル４２をクリックした場合には、二つ目と三つ目のシンボル４２のブラインド番号に挟まれたブラインド番号を持つシンボル４２が一つのゾーンとして編成される。また、一つのシンボル４２を複数のゾーンに重複して登録してもよい。
【００９２】
前記ゾーン設定ボタン５２の下方には、ゾーン名入力欄５３及びゾーン解除ボタン５４が表示される。そして、ゾーン名入力欄５３に任意のゾーン名を入力し、ゾーン解除ボタン５４をクリックすると、当該ゾーンの設定が解除される。
【００９３】
また、ゾーン編成画面５０内のいずれかのシンボル４２をクリックすれば、当該シンボル４２が属するゾーンを構成するすべてのシンボル４２の色彩が変化し、その状態でゾーン解除ボタン５４をクリックしても、当該ゾーンの設定が解除される。
【００９４】
また、一つのシンボル４２が複数のゾーンに重複して登録されている場合には、そのシンボル４２をクリックする度に、当該シンボル４２が属するゾーンが選択色で順次表示される。
【００９５】
前記ゾーン編成画面５０の下部には、前記ブラインド配置ボタン４７、ゾーン編成ボタン４８及びブラインド操作ボタン４９が表示されている。
図１２は、前記ブラインド操作ボタン４９がクリックされて、ブラインド操作モードとなったときに表示されるブラインド操作画面５５を示す。この画面５５は、前記ブラインド配置画面４１と同様にフロア平面図を示し、当該フロアの多数の窓にそれぞれ設置される電動ブラインドのシンボル４２が表示される。
【００９６】
ブラインド操作画面５５の右側には、個別操作ボタン５６及びゾーン操作ボタン５７が表示されている。個別操作ボタン５６は、ブラインド操作画面５５上に表示されている一つのシンボル４２に対応する一台のブラインドを選択してスラット昇降動作あるいはスラット角度調節動作を行う場合に使用される。
【００９７】
ゾーン操作ボタン５７は、あらかじめ登録されているゾーン毎にスラット昇降動作あるいはスラット角度調節動作を行う場合に使用される。このとき、ブラインド操作画面５５内のいずれかのシンボル４２をクリックすれば、当該シンボル４２が属するゾーンを構成するすべてのシンボル４２の色彩が選択色に変化して、操作しようとするゾーンの確認が可能となる。
【００９８】
また、一つのシンボル４２が複数のゾーンに重複して登録されている場合には、そのシンボル４２をクリックする度に、当該シンボル４２が属するゾーンが順次選択色で表示される。
【００９９】
前記ゾーン操作ボタン５７の下方には、スラット角度調節ボタン５８及びブラインド開度調節ボタン５９が表示されている。各ボタン５８，５９をマウスでドラッグ、かつドロップすることにより、スラット角度及びブラインド開度を設定可能である。
【０１００】
前記ブラインド開度調節ボタン５９の下方には発信ボタン６０が表示され、前記スラット角度調節ボタン５８の下方にはストップボタン６１が表示される。そして、発信ボタン６０のクリックにより、この画面で設定された制御データがフロアコントローラ３に発信される。また、ストップボタン６１のクリックにより、フロアコントローラ３にストップ信号が発信される。
【０１０１】
前記個別操作ボタン５５の上方には、ゾーン選択欄６２が表示され、そのゾーン選択欄６２にはあらかじめ編成された多数のゾーン名を表示可能であり、表示された多数のゾーン名の中からいずれかのゾーン名をマウスでクリックすることにより任意のゾーンを選択可能となっている。
【０１０２】
前記ブラインド操作画面５５の下部には、前記ブラインド配置ボタン４７、ゾーン編成ボタン４８及びブラインド操作ボタン４９が表示されている。
次に、上記のように構成された制御装置の動作を図１３〜図２９に従って説明する。
【０１０３】
電源の投入に基づいて、制御部６はブラインド配置画面４１、ゾーン編成画面５０及びブラインド操作画面５５のいずれかを表示し、ブラインド配置ボタン４７、ゾーン編成ボタン４８及びブラインド操作ボタン４９のいずれかのクリックを待つ状態となる（ステップ１〜ステップ３）。
【０１０４】
ここで、ブラインド配置ボタン４７がクリックされると、制御部６はブラインド配置モードとなり、ブラインド配置画面４１を表示装置１２に表示するとともに、図１４に示すようにブラインド追加ボタン４３、移動可能ボタン４４、確定ボタン４５、ブラインド削除ボタン４６、ゾーン編成ボタン４８及びブラインド操作ボタン４９のいずれかのクリックと、シンボル４２の移動操作を待つ状態となる（ステップ４〜ステップ１０）。
【０１０５】
ステップ４〜ステップ１０において、ブラインド追加ボタン４３がクリックされると、図１５に示すように、制御部６は追加するブラインドのブラインド番号及びその他の属性の入力データを取り込み、そのデータを作業用メモリに格納する（ステップ１１）。
【０１０６】
次いで、制御部６はマウスのクリック動作を待つ状態となり（ステップ１２，１３）、クリックされると、そのクリック位置に新たなシンボル４２を表示し（ステップ１４）、当該シンボル４２の移動操作を可能として（ステップ１５）、ステップ４に復帰する。
【０１０７】
また、ステップ１３において、クリック操作以外の他の動作が選択された場合にも、ステップ４に復帰して、当該動作に移行する。
ステップ１５からステップ４に復帰した後、マウスによるドラッグ・ドロップ動作が行われると、制御部６はステップ８から図１６に示すステップ１６に移行する。
【０１０８】
そして、制御部６は１回のドラッグ・ドロップ動作が終了するまでシンボル４２の移動及びその座標位置の記憶を行い（ステップ１７，１８）、ドラッグ・ドロップ動作が終了すると、ステップ４に復帰する。なお、ステップ１６において、シンボル４２の移動が許可されていない状態では、ステップ４に復帰する。
【０１０９】
ステップ４〜１０おいて、移動可能ボタン４４がクリックされると、制御部６はステップ５から図１７に示すステップ１９に移行し、ブラインド配置画面４１上のすべてのシンボル４２の移動操作を可能として、ステップ４に復帰する。
【０１１０】
ステップ４〜１０において、確定ボタン４５がクリックされると、図１８に示すように、シンボル４２の移動機能が禁止され（ステップ２０）、ステップ４に復帰する。
【０１１１】
ステップ４〜１０において、ブラインド削除ボタン４６がクリックされると、図１９に示すように、制御部６は削除するシンボル４２の選択を待つ状態となる（ステップ２１，２２）。
【０１１２】
そして、所望のシンボル４２がクリックにより選択されると、制御部６は選択されたシンボル４２を削除して（ステップ２３）、ステップ４に復帰する。また、ステップ２２において、選択操作以外の他の動作が選択された場合にも、ステップ４に復帰して、当該動作に移行する。
【０１１３】
また、追加されたシンボル４２以外のシンボル４２を移動させるために、所望のシンボル４２をドラッグ・ドロップすると、制御部６はステップ８からステップ１６に移行し、シンボルの移動動作及び座標位置の記憶動作を行って（ステップ１７，１８）、ステップ４に復帰する。
【０１１４】
ステップ１〜３あるいはステップ４〜１０において、ゾーン編成ボタン４８がクリックされると、制御部６はゾーン編成モードとなってゾーン編成画面５０を表示装置１２に表示するとともに、図２０に示すように、ゾーン名入力欄５３へのゾーン名の入力と、ゾーン設定ボタン５２のクリックと、ゾーン解除ボタン５４のクリックと、ゾーンを構成するブラインド（シンボル４２）の選択操作と、解除ゾーンの選択操作と、ブラインド配置ボタン４７のクリックと、ブラインド操作ボタン４９のクリックとのいずれかを待つ状態となる（ステップ２４〜３０）。
【０１１５】
ステップ２４〜３０において、ゾーン名の入力が行われると、図２１に示すように、制御部６は入力されたゾーン名を記憶し（ステップ３１）、ステップ２４に復帰する。
【０１１６】
ステップ２４〜３０において、新たにゾーンを編成するためにいずれかのシンボル４２がクリックされると、制御部６はステップ２７から図２２に示すステップ３２に移行し、前に選択したブラインド番号が存在すれば、そのブラインド番号を作業用メモリ１０内の第二のレジスタに格納し、今回選択したブラインド番号を第一のレジスタに格納し、第一のレジスタと第二のレジスタに格納されたブラインド番号及びそのブラインド番号に挟まれたブラインド番号のシンボル４２を選択色に変更して表示し、ステップ２４に復帰する。
【０１１７】
すなわち、この動作では、二つのシンボル４２が続けてクリックされると、その二つのシンボル４２と、両シンボル４２に挟まれたブラインド番号のシンボル４２が選択色に変更され、三つ以上のシンボル４２が続けてクリックされると、最後の二つのシンボル４２に挟まれたブラインド番号のシンボル４２が選択色に変更して表示される。
【０１１８】
ステップ３２〜３４においてゾーンを編成するシンボル４２が選択された後、ステップ２５においてゾーン設定ボタン５２がクリックされると、制御部６は図２３に示すステップ３５に移行し、ゾーン名がすでに設定され、かつ任意の範囲のシンボル４２が選択されていると（ステップ３６）、選択されたシンボル４２をゾーン名とともに記憶し（ステップ３７）、ステップ２４に復帰する。
【０１１９】
上記のような動作を繰り返すことにより、任意の複数のゾーンを設定可能であり、一つのブラインドを複数のゾーンに重複して登録することも可能である。
ステップ２４〜３０において、ゾーン解除ボタン５４がクリックされると、制御部６はステップ２６から図２４に示すステップ３８に移行し、解除すべきゾーンが選択されているか否かを判別し、この状態でゾーンが選択されていない場合にはステップ２４に復帰する。
【０１２０】
次いで、いずれかのシンボル４２がクリックされると、制御部６はステップ２８で解除ゾーンの選択であることを判別して、図２５に示すステップ４０に移行し、当該シンボル４２が属するゾーンを記憶するとともに、当該ゾーンの全シンボル４２を選択色に変更して表示し（ステップ４１）、ステップ２４に復帰する。
【０１２１】
次いで、ゾーン解除ボタン５４が再度クリックされると、ステップ２６からステップ３８に移行し、選択されたゾーンの設定を解除し（ステップ３８，３９）ステップ２４に復帰する。
【０１２２】
ステップ１〜３、ステップ４〜１０あるいはステップ２４〜３０において、ブラインド操作ボタン４９がクリックされると、制御部６はブラインド操作モードとなってブラインド操作画面５５を表示装置１２に表示するとともに、図２６に示すように、ブラインド操作画面５５上のいずれかのシンボル４２のクリックと、ゾーン選択欄６２のクリックと、発信ボタン６０のクリックと、ブラインド配置ボタン４７のクリックと、ゾーン編成ボタン４８のクリックとのいずれかを待つ状態となる（ステップ４２〜４６）。
【０１２３】
ステップ４２〜４６において、ブラインド操作画面５５上のいずれかのシンボル４２がクリックされると、制御部６は図２７に示すステップ４７に移行し、ゾーン操作であるか否か、すなわち個別操作ボタン５６がクリックされているか、あるいはゾーン操作ボタン５７がクリックされているかを判別する（ステップ４７）。
【０１２４】
そして、ゾーン操作ボタン５７がクリックされていると、選択されたシンボル４２が含まれるゾーンを選択色に変更して表示し（ステップ４８）、ステップ４２に復帰する。このとき、当該シンボル４２が複数のゾーンにまたがって登録されている場合には、当該シンボル４２をクリックする度に、各ゾーンが順次表示される。
【０１２５】
また、ステップ４７において、個別操作ボタン５６がクリックされると、制御部６は選択されたシンボル４２のみを選択色に変更して表示し（ステップ４９）、ステップ４２に復帰する。
【０１２６】
ステップ４２〜４６において、ゾーン選択欄６２のクリックにより任意のゾーンが選択されると、制御部６はステップ４３から図２８に示すステップ５０に移行し、選択されたゾーンを構成するシンボル４２を選択色に変更して表示し、ステップ４２に復帰する。
【０１２７】
ステップ４２〜４６において、任意のゾーンあるいは任意の個別のシンボル４２が選択色で表示された状態で、発信ボタン６０がクリックされると、制御部６はステップ４４から図２９に示すステップ５１に移行し、ゾーン操作ボタン５７と個別操作ボタン５６のいずれがクリックされているかを判別する。
【０１２８】
そして、ゾーン操作ボタン５７がクリックされていると、スラット角度調節ボタン５８及びブラインド開度調節ボタン５９で設定されたデータに基づいて、ブラインド操作画面５５上に選択色で表示されているゾーン内の各ブラインドを一括制御するためのゾーン制御命令信号をフロアコントローラ３に発信して（ステップ５２）、ステップ４２に復帰する。
【０１２９】
また、個別操作ボタン５６がクリックされていると、スラット角度調節ボタン５８及びブラインド開度調節ボタン５９で設定されたデータに基づいて、選択色で表示されている個別のブラインドを制御するための個別制御命令信号をフロアコントローラ３に発信して（ステップ５３）、ステップ４２に復帰する。
【０１３０】
このような制御命令に基づいて、各電動ブラインドのスラット昇降動作あるいはスラット角度調節動作がゾーン毎、あるいは個別に行われる。
上記のような電動ブラインドの制御装置では、次に示す作用効果を得ることができる。
【０１３１】
（１）多数の電動ブラインドの動作をゾーン毎に一括制御することができるとともに、一台ずつ個別に制御することもできる。
（２）多数の電動ブラインドを任意のゾーンに編成する場合、ゾーン編成画面５０で各ゾーンを構成する電動ブラインドの位置を多数のシンボルで図形的に確認しながら、ゾーン編成作業を行うことができる。従って、ゾーン編成作業を容易に、かつ確実に行うことができる。
【０１３２】
（３）電動ブラインドの動作を任意のゾーン毎、あるいは個別に制御する場合、ブラインド操作画面５５上で制御対象となるゾーンあるいは個別の電動ブラインドの位置を図形的に確認することができる。従って、電動ブラインドのゾーン毎の操作あるいは個別の操作を容易に、かつ確実に行うことができる。
【０１３３】
（４）ゾーン編成作業時には、ゾーン編成画面５０上でクリックした二つのシンボル４２と、両シンボル４２のブラインド番号で挟まれるブラインド番号のシンボル４２を選択色に変更して、一つのゾーンとして表示することができるので、ゾーン編成作業を容易に行うことができる。
【０１３４】
（５）ブラインド操作時には、ブラインド操作画面５５上でクリックしたシンボル４２が属するゾーンを選択色で表示することができるので、制御対象となるゾーンの位置及び範囲を図形的に容易に確認することができる。
【０１３５】
（６）クリックしたシンボル４２が複数のゾーンに重複して登録されている場合には、当該シンボル４２をクリックする度に、各ゾーンを順次選択色で表示することができるので、制御対象となるゾーンの位置及び範囲を図形的に容易に確認することができる。
【０１３６】
（７）ブラインド操作時には、ゾーン選択欄６２でゾーン名により選択したゾーンを、ブラインド操作画面５５上のシンボル４２を選択色に変更して表示することができるので、制御対象となるゾーンの位置及び範囲を図形的に容易に確認することができる。
【０１３７】
（８）任意のゾーンあるいは個別のブラインドを選択した状態で、発信ボタン６０をクリックすることにより、あらかじめ設定されたスラット角度データ及びブラインド開度データに基づいて、選択されたゾーンあるいは個別のブラインドの動作を制御することができる。
【０１３８】
（９）設定されたゾーンの解除動作時には、ゾーン名あるいはシンボル４２のクリックによりゾーンを選択すると、当該ゾーンのシンボル４２が選択色で表示される。従って、設定を解除しようとするゾーンを容易に確認することができるので、設定解除動作を確実に行うことができる。
【０１３９】
（１０）ブラインド配置画面４１上で、電動ブラインドの配置の変更に合わせて、シンボル４２の追加、削除及び移動を容易に行うことができる。従って、制御装置の設計時にブラインド配置に合わせてシンボル４２の配置を設定する必要はなく、使用状況に合わせてシンボルの配置を随時変更することも容易である。
【０１４０】
上記実施の形態は、次に示すように変更することもできる。
・第一の実施の形態において、スラット角度に対応する色彩の変化を、さらに多段階に変化するようにしてもよい。
・第二の実施の形態のブラインド操作画面５５において、スラット角度及びブラインド開度の入力操作を、第一の実施の形態の入力画面を使用して行うようにしてもよい。
・第二の実施の形態のゾーン編成操作において、ゾーン編成画面５０上において二つのシンボル４２をクリックしたとき、両シンボルの座標で挟まれる座標に位置するシンボル４２を一つのゾーンとして編成するようにしてもよい。
・建物の複数の階にわたって電動ブラインドが配設される場合には、ブラインド配置画面４１、ゾーン編成画面５０及びブラインド操作画面５５をそれぞれ各階毎に表示するようにしてもよい。
【０１４１】
【発明の効果】
以上詳述したように、請求項１〜６に係る発明は制御データの入力作業を容易に、かつ確実に行い得る電動ブラインドの制御装置を提供することができる。
また、請求項７，８に係る発明は制御データの入力作業を容易に、かつ確実に行い得る電動ブラインドの制御データ入力方法を提供することができる。
【図面の簡単な説明】
【図１】電動ブラインドの制御装置を示す概略図である。
【図２】メインコントローラの電気的構成を示すブロック図である。
【図３】第一の実施の形態のメニュー画面を示す説明図である。
【図４】ビル外観図を示す説明図である。
【図５】フロア平面図を示す説明図である。
【図６】シンボルを示す説明図である。
【図７】入力画面を示す説明図である。
【図８】入力画面を示す説明図である。
【図９】入力画面を示す説明図である。
【図１０】第二の実施の形態のブラインド配置画面を示す説明図である。
【図１１】第二の実施の形態のゾーン編成画面を示す説明図である。
【図１２】第二の実施の形態のブラインド操作画面を示す説明図である。
【図１３】制御データ入力動作を示すフローチャート図である。
【図１４】制御データ入力動作を示すフローチャート図である。
【図１５】制御データ入力動作を示すフローチャート図である。
【図１６】制御データ入力動作を示すフローチャート図である。
【図１７】制御データ入力動作を示すフローチャート図である。
【図１８】制御データ入力動作を示すフローチャート図である。
【図１９】制御データ入力動作を示すフローチャート図である。
【図２０】制御データ入力動作を示すフローチャート図である。
【図２１】制御データ入力動作を示すフローチャート図である。
【図２２】制御データ入力動作を示すフローチャート図である。
【図２３】制御データ入力動作を示すフローチャート図である。
【図２４】制御データ入力動作を示すフローチャート図である。
【図２５】制御データ入力動作を示すフローチャート図である。
【図２６】制御データ入力動作を示すフローチャート図である。
【図２７】制御データ入力動作を示すフローチャート図である。
【図２８】制御データ入力動作を示すフローチャート図である。
【図２９】制御データ入力動作を示すフローチャート図である。
【符号の説明】
６              制御部
８              操作部（マウス）
１２            表示装置
１５            イメージ画像（ビル外観図）
１６，４２      イメージ画像（シンボル）
１７            イメージ画像（フロア平面図）
２２，３２，３４，４１，５０，５５      入力画面
【図１】
0003559201.tif 000002
【図２】
0003559201.tif 000003
【図３】
0003559201.tif 000004
【図４】
0003559201.tif 000005
【図５】
0003559201.tif 000006
【図６】
0003559201.tif 000007
【図７】
0003559201.tif 000008
【図８】
0003559201.tif 000009
【図９】
0003559201.tif 000010
【図１０】
0003559201.tif 000011
【図１１】
0003559201.tif 000012
【図１２】
0003559201.tif 000013
【図１３】
0003559201.tif 000014
【図１４】
0003559201.tif 000015
【図１５】
0003559201.tif 000016
【図１６】
0003559201.tif 000017
【図１７】
0003559201.tif 000018
【図１８】
0003559201.tif 000019
【図１９】
0003559201.tif 000020
【図２０】
0003559201.tif 000021
【図２１】
0003559201.tif 000022
【図２２】
0003559201.tif 000023
【図２３】
0003559201.tif 000024
【図２４】
0003559201.tif 000025
【図２５】
0003559201.tif 000026
【図２６】
0003559201.tif 000027
【図２７】
0003559201.tif 000028
【図２８】
0003559201.tif 000029
【図２９】
0003559201.tif 000030